(57)【要約】 【課題】落下後においても十分な緩衝性を得ること。【解決手段】緩衝材２は、中芯紙６と、中芯紙６の複数の上端部８及び複数の下端部１０、１２に貼着されたライナー紙１４とからなる段ボールシートユニット４が複数個積層されかつ、相互に貼着されてなる。中芯紙６は、複数の単位波１６が連続して延在するよう構成されている。単位波１６は、上端部８と、下端部１０、１２と、一側部１８と、他側部２０とを備えている。一側部１８は、上端部８から該延在方向の一方に向かって延び出してから該延在方向の他方に向かって反転し、更に該延在方向の一方に向かって反転して一方の下端部１０に連続し、他側部２０は、上端部８から該延在方向の他方に向かって傾斜して延びて他方の下端部１２に連続している。【選択図】      図１
2005008277.tif 000002
【特許請求の範囲】
【請求項１】
波形を有する中芯紙と、第１の平面上に位置する、中芯紙における複数の上端部及び／又は、第１の平面に対し下方に間隔をおいて平行に延在する第２の平面上に位置する、中芯紙における複数の下端部、に貼着された平板状のライナー紙とからなる段ボールシートユニットが複数個積層されかつ、相互に貼着されてなる緩衝材において、
中芯紙は、複数の単位波がライナー紙に沿って連続して延在するよう構成され、単位波は、一つの該上端部と、単位波の延在方向に間隔をおいて存在する一対の該下端部と、該上端部と該延在方向の一方に位置する一方の該下端部との間を連続する一側部と、該上端部と該延在方向の他方に位置する他方の該下端部との間を連続する他側部とを備え、
該一側部は、該上端部から該延在方向の一方に向かって延び出してから該延在方向の他方に向かって反転し、更に該延在方向の一方に向かって反転して一方の該下端部に連続し、該他側部は、該上端部から該延在方向の他方に向かって傾斜して延びて他方の該下端部に連続している、
ことを特徴とする緩衝材。
【請求項２】
波形を有する中芯紙と、第１の平面上に位置する、中芯紙における複数の上端部及び／又は、第１の平面に対し下方に間隔をおいて平行に延在する第２の平面上に位置する、中芯紙における複数の下端部、に貼着された平板状のライナー紙とからなる段ボールシートユニットが複数個積層されかつ、相互に貼着されてなる緩衝材において、
中芯紙は、複数の単位波がライナー紙に沿って連続して延在するよう構成され、単位波は、一つの該上端部と、単位波の延在方向に間隔をおいて存在する一対の該下端部と、該上端部と該延在方向の一方に位置する一方の該下端部との間を連続する一側部と、該上端部と該延在方向の他方に位置する他方の該下端部との間を連続する他側部とを備え、
該一側部は、該上端部から該延在方向の他方に向かって延び出してから該延在方向の一方に向かって反転して一方の該下端部に連続し、該他側部は、該上端部から該延在方向の他方に向かって傾斜して延びて他方の該下端部に連続している、
ことを特徴とする緩衝材。
【請求項３】
段ボールシートユニットの各々において、全ての単位波が同じ向きに配置されている、請求項１又は請求項２記載の緩衝材。
【請求項４】
段ボールシートユニットの各々において、複数の単位波が同じ向きに配置され、他の複数の単位波が、逆向きに配置されている、請求項１又は請求項２記載の緩衝材。
【請求項５】
波形を有する中芯紙と、第１の平面上に位置する、中芯紙における複数の上端部及び／又は、第１の平面に対し下方に間隔をおいて平行に延在する第２の平面上に位置する、中芯紙における複数の下端部、に貼着された平板状のライナー紙とからなる段ボールシートユニットが複数個積層されかつ、相互に貼着されてなる緩衝材において、
中芯紙は、複数の単位波がライナー紙に沿って連続して延在するよう構成され、単位波は、一つの該上端部と、単位波の延在方向に間隔をおいて存在する一対の該下端部と、該上端部と該延在方向の一方に位置する一方の該下端部との間を連続する一側部と、該上端部と該延在方向の他方に位置する他方の該下端部との間を連続する他側部とを備え、
該一側部は、該上端部から該延在方向の一方に向かって延び出してから該延在方向の他方に向かって反転し、更に該延在方向の一方に向かって反転して一方の該下端部に連続し、該他側部は、該上端部から該延在方向の他方に向かって延び出してから該延在方向の一方に向かって反転し、更に該延在方向の他方に向かって反転して他方の該下端部に連続している、
ことを特徴とする緩衝材。
【請求項６】
段ボールシートユニットの各々の中芯紙における全ての単位波が、段ボールシートユニットの各々間において相互に同じ位相で配置されている、請求項１〜５のいずれか１項に記載の緩衝材。
【請求項７】
段ボールシートユニットの各々の中芯紙における単位波が、段ボールシートユニットの各々間において相互に異なった位相で配置されている、請求項１〜５のいずれか１項に記載の緩衝材。
【発明の詳細な説明】
【技術分野】
【０００１】
本発明は、段ボールシートユニットが複数個積層されかつ、相互に貼着されてなる緩衝材に関する。
【背景技術】
【０００２】
従来から、梱包ケースに物品を収容する際には、輸送時の衝撃から物品を保護するために緩衝材が用いられている。この種の緩衝材の典型例は、波形を有する中芯紙と、第１の平面上に位置する、中芯紙における複数の上端部及び／又は、第１の平面に対し下方に間隔をおいて平行に延在する第２の平面上に位置する、複数の下端部、に貼着された平板状のライナー紙とからなる段ボールシートユニットが複数個積層されかつ、相互に貼着されてなる。中芯紙は、複数の同形の単位波がライナー紙に沿って連続して延在するよう構成されている。単位波は、一つの該上端部と、単位波の延在方向に間隔をおいて存在する一対の該下端部と、該上端部と該延在方向の一方に位置する一方の該下端部との間を連続する一側部と、該上端部と該延在方向の他方に位置する他方の該下端部との間を連続する他側部とを備えている。該一側部は、該上端部から該延在方向の一方に向かって直線状に傾斜して延び出して一方の該下端部に連続し、該他側部は、該上端部から該延在方向の他方に向かって直線状に傾斜して延び出して他方の該下端部に連続している（特許文献１参照）。
【特許文献１】特開平８−５８８４３
【０００３】
上記特許文献１に開示された緩衝材において、段ボールシートユニットの各々の中芯紙における単位波は、上下方向にほぼ逆Ｖ形をなしているので、上下方向の衝撃荷重に対して弾性変形しにくい。その結果、輸送時に落下せしめられた際には、梱包品による衝撃荷重により中芯紙が塑性変形してしまい、復元性がないので、落下後において十分な緩衝性が発揮できないおそれがある。
【発明の開示】
【発明が解決しようとする課題】
【０００４】
本発明の目的は、落下後においても十分な緩衝性を有する緩衝材を提供することである。
【課題を解決するための手段】
【０００５】
本発明の一局面によれば、
波形を有する中芯紙と、第１の平面上に位置する、中芯紙における複数の上端部及び／又は、第１の平面に対し下方に間隔をおいて平行に延在する第２の平面上に位置する、中芯紙におけるの複数の下端部、に貼着された平板状のライナー紙とからなる段ボールシートユニットが複数個積層されかつ、相互に貼着されてなる緩衝材において、
中芯紙は、複数の単位波がライナー紙に沿って連続して延在するよう構成され、単位波は、一つの該上端部と、単位波の延在方向に間隔をおいて存在する一対の該下端部と、該上端部と該延在方向の一方に位置する一方の該下端部との間を連続する一側部と、該上端部と該延在方向の他方に位置する他方の該下端部との間を連続する他側部とを備え、
該一側部は、該上端部から該延在方向の一方に向かって延び出してから該延在方向の他方に向かって反転し、更に該延在方向の一方に向かって反転して一方の該下端部に連続し、該他側部は、該上端部から該延在方向の他方に向かって傾斜して延びて他方の該下端部に連続している、
ことを特徴とする緩衝材、が提供される。
本発明の他の局面によれば、
波形を有する中芯紙と、第１の平面上に位置する、中芯紙における複数の上端部及び／又は、第１の平面に対し下方に間隔をおいて平行に延在する第２の平面上に位置する、中芯紙における複数の下端部、に貼着された平板状のライナー紙とからなる段ボールシートユニットが複数個積層されかつ、相互に貼着されてなる緩衝材において、
中芯紙は、複数の単位波がライナー紙に沿って連続して延在するよう構成され、単位波は、一つの該上端部と、単位波の延在方向に間隔をおいて存在する一対の該下端部と、該上端部と該延在方向の一方に位置する一方の該下端部との間を連続する一側部と、該上端部と該延在方向の他方に位置する他方の該下端部との間を連続する他側部とを備え、
該一側部は、該上端部から該延在方向の他方に向かって延び出してから該延在方向の一方に向かって反転して一方の該下端部に連続し、該他側部は、該上端部から該延在方向の他方に向かって傾斜して延びて他方の該下端部に連続している、
ことを特徴とする緩衝材、が提供される。
段ボールシートユニットの各々において、全ての単位波が同じ向きに配置されている、ことが好ましい。
段ボールシートユニットの各々において、複数の単位波が同じ向きに配置され、他の複数の単位波が、逆向きに配置されている、ことが好ましい。
本発明の更に他の局面によれば、
波形を有する中芯紙と、第１の平面上に位置する、中芯紙における複数の上端部及び／又は、第１の平面に対し下方に間隔をおいて平行に延在する第２の平面上に位置する、中芯紙における複数の下端部、に貼着された平板状のライナー紙とからなる段ボールシートユニットが複数個積層されかつ、相互に貼着されてなる緩衝材において、
中芯紙は、複数の単位波がライナー紙に沿って連続して延在するよう構成され、単位波は、一つの該上端部と、単位波の延在方向に間隔をおいて存在する一対の該下端部と、該上端部と該延在方向の一方に位置する一方の該下端部との間を連続する一側部と、該上端部と該延在方向の他方に位置する他方の該下端部との間を連続する他側部とを備え、
該一側部は、該上端部から該延在方向の一方に向かって延び出してから該延在方向の他方に向かって反転し、更に該延在方向の一方に向かって反転して一方の該下端部に連続し、該他側部は、該上端部から該延在方向の他方に向かって延び出してから該延在方向の一方に向かって反転し、更に該延在方向の他方に向かって反転して他方の該下端部に連続している、
ことを特徴とする緩衝材、が提供される。
段ボールシートユニットの各々の中芯紙における全ての単位波が、段ボールシートユニットの各々間において相互に同じ位相で配置されている、ことが好ましい。
段ボールシートユニットの各々の中芯紙における単位波が、段ボールシートユニットの各々間において相互に異なった位相で配置されている、ことが好ましい。
【発明を実施するための最良の形態】
【０００６】
以下、本発明に従って構成された緩衝材の好適実施形態を示している添付図面を参照して、更に詳細に説明する。
【０００７】
図１及び図２を参照して、図１に示す緩衝材２は、図２に示す段ボールシートユニット４が複数個、実施形態においては４個積層されかつ、相互に貼着されることにより構成されている。相互に実質的に同じ形状及び大きさを有する段ボールシートユニット４は、波形を有する中芯紙６と、第１の平面上に位置する、中芯紙６における複数の上端部８及び／又は、第１の平面の、図２において下方に間隔をおいて平行に延在する第２の平面上に位置する、中芯紙６の複数の下端部１０、１２に、貼着された平板状のライナー紙１４とからなる。実施形態において、相互に実質的に同じ構成を有する段ボールシートユニット４は、波形を有する中芯紙６と、第１の平面上に位置する、中芯紙６における複数の上端部８に貼着された平板状のライナー紙１４と、第１の平面の、図２において下方に間隔をおいて平行に延在する第２の平面上に位置する、中芯紙６における複数の下端部１０、１２に貼着された平板状のライナー紙１４とからなる。相互に実質的に同じ形状及び大きさを有するライナー紙１４は、平面がほぼ正方形をなしている。段ボールシートユニット４は、図４において上側に位置するライナー紙１４と中芯紙６とを貼着した他の実施形態、図４において下側に位置するライナー紙１４と中芯紙６とを貼着した更に他の実質的に実施形態もある。このような実施形態は、図３〜図８に示す段ボールシートユニット１０４、２０４、３０４においても同様に適用可能である。
【０００８】
段ボールシートユニット４の中芯紙６は、複数の、実施形態においては６個の単位波１６がライナー紙１４に沿って連続して延在するよう構成されている。単位波１６は、一つの上端部８と、単位波１６の延在方向（図２において左右方向）に間隔をおいて存在する一対の下端部１０及び１２と、上端部８と該延在方向の一方（図２において右方）に位置する一方の下端部１０との間を連続する一側部１８と、上端部８と該延在方向の他方（図２において左方）に位置する他方の下端部１２との間を連続する他側部２０とを備えている。上端部８は、図２に示す横断面において、上方に膨らむ曲面をなしているが、角部であっても、平坦であってもよい。一側部１８は、上端部８から該延在方向の一方に向かって延び出してから該延在方向の他方に向かって反転し、更に該延在方向の一方に向かって反転して一方の下端部１０に連続している。一側部１８には、該延在方向の一方に向かう膨らみ（上端部８の直下）と、該延在方向の他方に向かう凹み（膨らみの直下）が形成される。また、他側部２０は、該端部８から該延在方向の他方に向かって傾斜して延びて他方の下端部１２に連続している。この傾斜は、図２に示す横断面において、ほぼ直線であっても、比較的ゆるやかな曲線であってもよい。図示の実施形態においては、段ボールシートユニット４の各々において、全ての単位波１６は、それぞれ、同じ向きに配置されている。図示の実施形態において、段ボールシートユニット４の各々の中芯紙６における全ての単位波１６は、段ボールシートユニット４の各々間において相互に同じ位相で配置されているが、段ボールシートユニット４の各々の中芯紙６における単位波１６が、段ボールシートユニット４の各々間において相互に異なった位相で配置される他の実施形態もある。このような、段ボールシートユニット４の各々間における単位波１６の相互に関する形態は、他の実施形態においても同じことがいえる。
【０００９】
上記緩衝材２は、直方体の収容空間を有する梱包ケースの底に戴置される。緩衝材２上に図示しない梱包品が収容される。このようにして梱包品を収容した梱包ケースが、輸送時になんらかの偶発的事由によって落下された際には、緩衝材２における単位波１０の各々の傾斜した他側部２０が下端部１２を支点として図２において右側に倒れ、単位波１０の各々の一側部１８が上記膨らみ及び凹みの存在により弾性的に圧縮されて弾性変形させられ、落下による衝撃を緩和する。そして、落下の後においては、単位波１０の各々の膨らみ及び凹みには、僅かな塑性変形が残るものの、単位波１０の各々における膨らみ及び凹みがほぼ元の形状に弾性的に復帰すると共に、右側に倒れた他側部２０が弾性力により起き上がるので、緩衝材２の緩衝性は維持される。
【００１０】
図３（最上位のライナー紙１４を除去して示してある）には本発明による緩衝材の他の実施形態が示されている。図３に示す緩衝材１０２は、図４に示すように、段ボールシートユニット１０４の各々における中芯紙１０６において、複数の、実施形態においては６個の単位波のうち、複数である３個の単位波１６が、図１及び図２に示す実施形態におけるのと同じ向きに配置され、複数である３個の他の単位波１１６が、逆向きに配置されている。３個の単位波１６は、それぞれ、他の単位波１１６と向き合って配置されている。なお、他の単位波１１６における符号１１０は、単位波１６の一方の下端部１０に対応する下端部、符号１１２は、単位波１６の他方の下端部１２に対応する他方の下端部、符号１１８は、単位波１６の一側部１８に対応する他側部、符号１２０は、単位波１６の他側部２０に対応する一側部、をそれぞれ示している。緩衝材１０２のその他の構成は図１及び図２示す緩衝材２と実質的に同一であるので、実質的に同一部分は、１００番台の同一符号で示し、説明は省略する。この実施形態においても、先の実施形態におけるのと実質的に同じ特徴ある構成を有しているので、実質的に同じ作用効果を得ることができる。なお、単位波のこのような配列は、図６に示す実施形態においても、同様に適用可能である。
【００１１】
図５には本発明による緩衝材の更に他の実施形態が示されている。図５に示す緩衝材２０２は、図６に示すように、段ボールシートユニット２０４の各々における中芯紙２０６において、単位波２１６の各々における一側部２１８は、上端部２０８から該延在方向の他方（図６において左方）に向かって図６において下方に延び出してから該延在方向の一方（図６において右方）に向かって反転して一方の下端部２１０に連続している。また他側部２２０は、上端部２０８から該延在方向の他方に向かって傾斜して延びて他方の下端部２１２に連続している。相互に実質的に同じ形状及び大きさを有する複数の単位波２１６は、図２に示す実施形態におけるのと同様に連続して延在する。緩衝材２０２のその他の構成は図１及び図２示す緩衝材２と実質的に同一であるので、実質的に同一部分は２００番台の同一符号で示し、説明は省略する。この実施形態においても、先の実施形態におけるのとほぼ同じ特徴ある構成を有しているので、ほぼ同じ作用効果を得ることができる。
【００１２】
図７（最上位のライナー紙３１４を除去して示してある）には本発明による緩衝材の更に他の実施形態が示されている。図７に示す緩衝材３０２は、図８に示すように、段ボールシートユニット３０４の各々における中芯紙３０６において、単位波３１６の各々における一側部３１８は、上端部３０８から該延在方向の一方（図８において右方）に向かって延び出してから該延在方向の他方（図８において左方）に向かって反転し、更に該延在方向の一方に向かって反転して一方の下端部３１０に連続している。また他側部３２０は、上端部３０８から該延在方向の他方に向かって延び出してから該延在方向の一方に向かって反転し、更に該延在方向の他方に向かって反転して他方の下端部３１２に連続している。相互に実質的に同じ形状及び大きさを有する複数の単位波３１６は、図２に示す実施形態におけるのと同様に連続して延在する。この実施形態においては、一側部３１８と他側部３２０の両方に、図２に示す実施形態における膨らみ及び凹みが形成されているので、先に述べた落下時の衝撃の緩和作用及び落下の後にける緩衝材３０２の緩衝性は、より効果的である。緩衝材３０２のその他の構成は図１及び図２示す緩衝材２と実質的に同一であるので、実質的に同一部分は３００番台の同一符号で示し、説明は省略する。
【００１３】
本発明による緩衝材は、梱包ケース内の底部に戴置して使用することが好ましいが、梱包ケース内の側部に立てかけて使用することによっても、梱包品によっては、上記作用効果を得ることは可能である。
【図面の簡単な説明】
【００１４】
【図１】本発明に従って構成された緩衝材の好適実施形態を示す斜視図。
【図２】図１に示す緩衝材を構成する段ボールシートユニットを示す横断面図。
【図３】本発明に従って構成された緩衝材の他の好適実施形態を示す斜視図。
【図４】図３に示す緩衝材を構成する段ボールシートユニットを示す断面図。
【図５】本発明に従って構成された緩衝材の更に他の好適実施形態を示す斜視図。
【図６】図５に示す緩衝材を構成する段ボールシートユニットの断面図。
【図７】本発明に従って構成された緩衝材の更に他の好適実施形態を示す斜視図。
【図８】図７に示す緩衝材を構成する段ボールシートユニットの断面図。
【符号の説明】
【００１５】
２、１０２、２０２、３０２：緩衝材
４、１０４、２０４、３０４：段ボールシートユニット
６、１０６、２０６、３０６：中芯紙
８、１０８、２０８、３０８：中芯紙の上端部
１０、１１０、２１０、３１０：中芯紙における一方の下端部
１２、１１２、２１２、３１２：中芯紙における他方の下端部
１４、２１４、３１４：ライナー紙
１６、１１６、２１６、３１６：単位波
１８、１１８、２１８、３１８：中芯紙の一側部
２０、１２０、２２０、３２０：中芯紙の他側部
【図１】
2005008277.tif 000003
【図２】
2005008277.tif 000004
【図３】
2005008277.tif 000005
【図４】
2005008277.tif 000006
【図５】
2005008277.tif 000007
【図６】
2005008277.tif 000008
【図７】
2005008277.tif 000009
【図８】
2005008277.tif 000010